(57)【要約】【課題】本発明は、受信側の受信能力を超える大サイズ原稿を分割して等倍送信するファクシミリ装置及びファクシミリ送信制御方法に関する。【解決手段】ファクシミリ装置１は、ファクシミリ送信時、相手先からのファクシミリ通信プロトコルの識別情報に基づいて、入力画像データの主走査方向のラインデータが相手先に等倍送信できる原稿幅以内であるか判断し、等倍送信が不可能であると、データ毎に相手先に送信可能な原稿幅に入力画像データを副走査方向において分割して副走査分割データとして取り込み、取り込んだ副走査分割データを９０度または２７０度回転させた後に符号化して相手先に送信し、相手先に入力画像データの等倍送信が可能であると、入力画像データをそのまま取り込んで、符号化した後に相手先に送信する。【選択図】          図１
2006050116.tif 000002
【特許請求の範囲】
【請求項１】
原稿を主走査及び副走査して取得した画像データまたは／及び外部端末から送られてきた画像データを入力画像データとして画像データ入力手段で入力し、相手先と所定のファクシミリ通信プロトコルを交換して、当該入力画像データを所定の符号化方式で符号化した後にファクシミリ送信するファクシミリ装置において、前記画像データ入力手段が、ファクシミリ通信プロトコルで送信可能な最大サイズ幅を超える大サイズ原稿の画像データを入力可能であり、前記ファクシミリ通信プロトコルで相手先から送られてくる識別情報に基づいて、当該画像データ入力手段から入力される画像データの主走査方向のラインデータが当該相手先に等倍送信できる原稿幅以内であるか否かを判断し、当該相手先に当該入力画像データの等倍送信が不可能であると判断すると、前記画像データ入力手段からデータ毎に当該ファクシミリ通信プロトコルで当該相手先に送信可能な原稿幅に前記入力画像データの副走査方向において分割して副走査分割データとして取り込み、当該取り込んだ副走査分割データを画像回転手段で９０度または２７０度回転させた後に符号化して当該相手先に送信し、前記相手先に前記入力画像データの等倍送信が可能であると判断すると、前記画像データ入力手段から前記入力画像データをそのまま取り込み、当該取り込んだ画像データを符号化して当該相手先に送信することを特徴とするファクシミリ装置。
【請求項２】
前記ファクシミリ装置は、前記相手先から送られてくる識別情報としてＮＳＦ信号を用いることを特徴とする請求項１記載のファクシミリ装置。
【請求項３】
前記ファクシミリ装置は、前記入力画像データを副走査方向において分割する際、分割画像データの分割画像相互の境界領域に所定の重ね幅を持たせて分割することを特徴とする請求項１または請求項２記載のファクシミリ装置。
【請求項４】
前記ファクシミリ装置は、前記入力画像データが複数ページで構成されている場合、予め設定された任意のページに対して前記分割データの取り込みを行うことを特徴とする請求項１から請求項３のいずれかに記載のファクシミリ装置。
【請求項５】
前記ファクシミリ装置は、前記ファクシミリ通信プロトコルで相手先から送られてくる識別情報に基づいて、前記副走査分割データの主走査方向が当該相手先に等倍送信できる原稿長以内であるか否か判断し、当該相手先に当該副走査分割データの等倍送信が不可能であると判断すると、当該副走査分割データの主走査方向において分割するとともに、当該分割画像相互の境界領域に所定の重ね幅を持たせて分割して取り込み、前記相手先に前記副走査分割データの等倍送信が可能であると判断すると、前記副走査分割データをそのまま取り込み、当該取り込んだ画像データを符号化して当該相手先に送信することを特徴とする請求項１から請求項４のいずれかに記載のファクシミリ装置。
【請求項６】
前記ファクシミリ装置は、前記分割された副走査分割データまたは前記副走査分割データ及び前記主走査分割データに、当該各分割データ相互の合成位置を示す所定の合成記号を付加することを特徴とする請求項１から請求項５のいずれかに記載のファクシミリ装置。
【請求項７】
前記ファクシミリ装置は、前記画像データを分割して送信する際に、当該分割送信の履歴情報を取得して、通信管理レポートとして当該分割送信履歴情報を記録出力し、また、表示手段に分割送信履歴情報を表示出力することを特徴とする請求項１から請求項６のいずれかに記載のファクシミリ装置。
【請求項８】
原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するファクシミリ送信制御方法において、前記ファクシミリ通信プロトコルで相手先から送られてくる識別情報に基づいて、前記入力画像データの主走査方向のラインデータが当該相手先に等倍送信できる原稿幅以内であるか否かを判断し、当該相手先に当該入力画像データの等倍送信が不可能であると判断すると、前記入力画像データをデータ毎に当該ファクシミリ通信プロトコルで当該相手先に送信可能な原稿幅に前記入力画像データの副走査方向において分割して副走査分割データとして取り込み、当該取り込んだ副走査分割データを画像回転手段で９０度または２７０度回転させた後に符号化して当該相手先に送信し、前記相手先に前記入力画像データの等倍送信が可能であると判断すると、前記入力画像データをそのまま取り込み、当該取り込んだ画像データを符号化して当該相手先に送信することを特徴とするファクシミリ送信制御方法。
【発明の詳細な説明】
【技術分野】
【０００１】
本発明は、ファクシミリ装置及びファクシミリ送信制御方法に関し、詳細には、受信側の受信能力を超える大サイズ原稿を分割して等倍送信し、受信側が分割や縮小することなく、画像品質の良好な画像データを送信するファクシミリ装置及びファクシミリ送信制御方法に関する。
【背景技術】
【０００２】
ファクシミリ装置は、従来、ファクシミリ送信においてスキャナ部で原稿の画像を読み取る場合、原稿サイズがファクシミリ送信の送信可能最大サイズよりも大きい場合、送信可能最大サイズに分割して原稿の読み取りを行ってファクシミリ送信する。
【０００３】
この場合、送信側のファクシミリ装置は、原稿の読み取りに際して、主走査方向の長さに対して分割処理を行うことで、原稿の画像を送信可能最大サイズに分割して送信する。例えば、Ａ２／Ｂ３サイズの大サイズの原稿に対しては、送信側のファクシミリ装置で、当該原稿を読み取る際に主走査方向の長さ（送信幅）が送信可能最大サイズであるＡ３／Ｂ４サイズになるように副走査方向の画像分割を行って当該原稿の読み取りを行い、Ａ３／Ｂ４サイズの画像データを送信する（特許文献１、特許文献２等参照）。
【０００４】
受信側のファクシミリ装置は、受信した１ページ分の画像データを１枚の記録紙に記録出力する。したがって、記録紙に記録可能な画像データよりも副走査方向に長い画像データを受信すると、従来、ファクシミリ装置は、当該受信した画像データを分割して記録紙に記録出力するか、記録紙よりも長い部分を切り捨てて記録出力している。
【０００５】
【特許文献１】特開２００２−２１８１８０号公報
【特許文献２】特開平９−１８６８８号公報
【発明の開示】
【発明が解決しようとする課題】
【０００６】
しかしながら、上記従来技術にあっては、原稿の読み取りにおいて、主走査方向の長さを基準にして原稿サイズを判定して、当該原稿サイズに対応する長さに副走査方向の画像を分割して読み取る分割処理を行って、送信しているため、送信した画像が、副走査方向において定形サイズの記録紙の長さよりも長尺となる場合があり、このような場合、受信側にセットされている記録紙のサイズによっては、受信側でさらに受信画像の分割処理を行った後に記録紙に記録出力する必要性が生じ、この受信側の画像分割によって、分割部分の画像にかけが生じたり、受信側で縮小して画像記録する必要性が生じて画像品質が悪化するという問題があった。
【０００７】
そこで、請求項１記載の発明は、原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するに際して、ファクシミリ通信プロトコルで相手先から送られてくる識別情報に基づいて、当該入力される画像データの主走査方向のラインデータが当該相手先に等倍送信できる原稿幅以内であるか否かを判断し、当該相手先に当該入力画像データの等倍送信が不可能であると判断すると、データ毎に当該ファクシミリ通信プロトコルで当該相手先に送信可能な原稿幅に入力画像データを副走査方向において分割して副走査分割データとして取り込み、当該取り込んだ副走査分割データを９０度または２７０度回転させた後に符号化して当該相手先に送信し、相手先に入力画像データの等倍送信が可能であると判断すると、入力画像データをそのまま取り込み、当該取り込んだ画像データを符号化して当該相手先に送信することにより、受信側の受信能力に応じて大サイズ原稿の副走査方向の長さに対して、分割処理を行って送信し、受信側で分割印刷や縮小印刷等行うことなく、画像品質の良好な等倍画像を送信するファクシミリ装置を提供することを目的としている。
【０００８】
請求項２記載の発明は、相手先から送られてくる識別情報としてＮＳＦ信号を用いることにより、独自モードによる交信の場合にのみ大サイズ原稿の等倍送信を行い、従来機種や他メーカとの交信においては、通常の送受信を行って利用性の良好なファクシミリ装置を提供することを目的としている。
【０００９】
請求項３記載の発明は、入力画像データを副走査方向において分割する際、分割画像データの分割画像相互の境界領域に所定の重ね幅を持たせて分割することにより、文字等の画情報が集まっている可能性が多い原稿中央付近のイメージデータを分割して読み取る際に、分割処理上の誤差等により僅かなイメージデータに関しても読み捨てられることを防止し、より一層画像品質の良好な画像を送信するファクシミリ装置を提供することを目的としている。
【００１０】
請求項４記載の発明は、入力画像データが複数ページで構成されている場合、予め設定された任意のページに対して分割データの取り込みを行うことにより、分割処理を行う必要のない小サイズの送付票等を先頭ページに挿入させて大サイズ原稿と一緒に送信する場合のように、大サイズと小サイズの混在する原稿に対して大サイズのみを分割して送信し、画像品質を向上させつつ、利用性の良好なファクシミリ装置を提供することを目的としている。
【００１１】
請求項５記載の発明は、ファクシミリ通信プロトコルで相手先から送られてくる識別情報に基づいて、副走査分割データの主走査方向が当該相手先に等倍送信できる原稿長以内であるか否か判断し、当該相手先に当該副走査分割データの等倍送信が不可能であると判断すると、当該副走査分割データの主走査方向において分割するとともに、当該分割画像相互の境界領域に所定の重ね幅を持たせて分割して取り込み、相手先に副走査分割データの等倍送信が可能であると判断すると、副走査分割データをそのまま取り込み、当該取り込んだ画像データを符号化して当該相手先に送信することにより、より大きなサイズの原稿、例えば、最大Ａ０サイズの大サイズ原稿をも縮小処理を行うことなく、分割して画像送信し、受信側で分割印刷や縮小印刷等行うことなく、画像品質の良好な等倍画像を送信するファクシミリ装置を提供することを目的としている。
【００１２】
請求項６記載の発明は、分割された副走査分割データまたは副走査分割データ及び主走査分割データに、当該各分割データ相互の合成位置を示す所定の合成記号を付加することにより、分割されて送信される分割画像を受信側で復元する際に、合成記号に基づいて適切かつ容易に復元できるようにし、より一層利用性の良好なファクシミリ装置を提供することを目的としている。
【００１３】
請求項７記載の発明は、画像データを分割して送信する際に、当該分割送信の履歴情報を取得して、通信管理レポートとして当該分割送信履歴情報を記録出力し、また、表示手段に分割送信履歴情報を表示出力することにより、送信先毎の等倍／分割に関する履歴情報を一覧で分かるようにし、相手先受信の能力に関する情報についても、容易に把握しやすくして、より一層利用性の良好な複写装置を提供することを目的としている。
【００１４】
請求項８記載の発明は、原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するに際して、ファクシミリ通信プロトコルで相手先から送られてくる識別情報に基づいて、当該入力される画像データの主走査方向のラインデータが当該相手先に等倍送信できる原稿幅以内であるか否かを判断し、当該相手先に当該入力画像データの等倍送信が不可能であると判断すると、データ毎に当該ファクシミリ通信プロトコルで当該相手先に送信可能な原稿幅に入力画像データを副走査方向において分割して副走査分割データとして取り込み、当該取り込んだ副走査分割データを９０度または２７０度回転させた後に符号化して当該相手先に送信し、相手先に入力画像データの等倍送信が可能であると判断すると、入力画像データをそのまま取り込み、当該取り込んだ画像データを符号化して当該相手先に送信することにより、受信側の受信能力に応じて大サイズ原稿の副走査方向の長さに対して、分割処理を行って送信し、受信側で分割印刷や縮小印刷等行うことなく、画像品質の良好な等倍画像を送信するファクシミリ送信制御方法を提供することを目的としている。
【課題を解決するための手段】
【００１５】
請求項１記載の発明のファクシミリ装置は、原稿を主走査及び副走査して取得した画像データまたは／及び外部端末から送られてきた画像データを入力画像データとして画像データ入力手段で入力し、相手先と所定のファクシミリ通信プロトコルを交換して、当該入力画像データを所定の符号化方式で符号化した後にファクシミリ送信するファクシミリ装置において、前記画像データ入力手段が、ファクシミリ通信プロトコルで送信可能な最大サイズ幅を超える大サイズ原稿の画像データを入力可能であり、前記ファクシミリ通信プロトコルで相手先から送られてくる識別情報に基づいて、当該画像データ入力手段から入力される画像データの主走査方向のラインデータが当該相手先に等倍送信できる原稿幅以内であるか否かを判断し、当該相手先に当該入力画像データの等倍送信が不可能であると判断すると、前記画像データ入力手段からデータ毎に当該ファクシミリ通信プロトコルで当該相手先に送信可能な原稿幅に前記入力画像データの副走査方向において分割して副走査分割データとして取り込み、当該取り込んだ副走査分割データを画像回転手段で９０度または２７０度回転させた後に符号化して当該相手先に送信し、前記相手先に前記入力画像データの等倍送信が可能であると判断すると、前記画像データ入力手段から前記入力画像データをそのまま取り込み、当該取り込んだ画像データを符号化して当該相手先に送信することにより、上記目的を達成している。
【００１６】
この場合、例えば、請求項２に記載するように、前記ファクシミリ装置は、前記相手先から送られてくる識別情報としてＮＳＦ信号を用いるものであってもよい。
【００１７】
また、例えば、請求項３に記載するように、前記ファクシミリ装置は、前記入力画像データを副走査方向において分割する際、分割画像データの分割画像相互の境界領域に所定の重ね幅を持たせて分割するものであってもよい。
【００１８】
さらに、例えば、請求項４に記載するように、前記ファクシミリ装置は、前記入力画像データが複数ページで構成されている場合、予め設定された任意のページに対して前記分割データの取り込みを行うものであってもよい。
【００１９】
また、例えば、請求項５に記載するように、前記ファクシミリ装置は、前記ファクシミリ通信プロトコルで相手先から送られてくる識別情報に基づいて、前記副走査分割データの主走査方向が当該相手先に等倍送信できる原稿長以内であるか否か判断し、当該相手先に当該副走査分割データの等倍送信が不可能であると判断すると、当該副走査分割データの主走査方向において分割するとともに、当該分割画像相互の境界領域に所定の重ね幅を持たせて分割して取り込み、前記相手先に前記副走査分割データの等倍送信が可能であると判断すると、前記副走査分割データをそのまま取り込み、当該取り込んだ画像データを符号化して当該相手先に送信するものであってもよい。
【００２０】
さらに、例えば、請求項６に記載するように、前記ファクシミリ装置は、前記分割された副走査分割データまたは前記副走査分割データ及び前記主走査分割データに、当該各分割データ相互の合成位置を示す所定の合成記号を付加するものであってもよい。
【００２１】
また、例えば、請求項７に記載するように、前記ファクシミリ装置は、前記画像データを分割して送信する際に、当該分割送信の履歴情報を取得して、通信管理レポートとして当該分割送信履歴情報を記録出力し、また、表示手段に分割送信履歴情報を表示出力するものであってもよい。
【００２２】
請求項８記載の発明のファクシミリ送信制御方法は、原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するファクシミリ送信制御方法において、前記ファクシミリ通信プロトコルで相手先から送られてくる識別情報に基づいて、前記入力画像データの主走査方向のラインデータが当該相手先に等倍送信できる原稿幅以内であるか否かを判断し、当該相手先に当該入力画像データの等倍送信が不可能であると判断すると、前記入力画像データをデータ毎に当該ファクシミリ通信プロトコルで当該相手先に送信可能な原稿幅に前記入力画像データの副走査方向において分割して副走査分割データとして取り込み、当該取り込んだ副走査分割データを画像回転手段で９０度または２７０度回転させた後に符号化して当該相手先に送信し、前記相手先に前記入力画像データの等倍送信が可能であると判断すると、前記入力画像データをそのまま取り込み、当該取り込んだ画像データを符号化して当該相手先に送信することにより、上記目的を達成している。
【発明の効果】
【００２３】
請求項１記載の発明のファクシミリ装置によれば、原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するに際して、ファクシミリ通信プロトコルで相手先から送られてくる識別情報に基づいて、当該入力される画像データの主走査方向のラインデータが当該相手先に等倍送信できる原稿幅以内であるか否かを判断し、当該相手先に当該入力画像データの等倍送信が不可能であると判断すると、データ毎に当該ファクシミリ通信プロトコルで当該相手先に送信可能な原稿幅に入力画像データを副走査方向において分割して副走査分割データとして取り込み、当該取り込んだ副走査分割データを９０度または２７０度回転させた後に符号化して当該相手先に送信し、相手先に入力画像データの等倍送信が可能であると判断すると、入力画像データをそのまま取り込み、当該取り込んだ画像データを符号化して当該相手先に送信するので、受信側の受信能力に応じて大サイズ原稿の副走査方向の長さに対して、分割処理を行って送信することができ、受信側で分割印刷や縮小印刷等行うことなく、画像品質の良好な等倍画像を送信することができる。
【００２４】
請求項２記載の発明のファクシミリ装置によれば、相手先から送られてくる識別情報としてＮＳＦ信号を用いているので、独自モードによる交信の場合にのみ大サイズ原稿の等倍送信を行うことができ、従来機種や他メーカとの交信においては、通常の送受信を行って利用性を向上させることができる。
【００２５】
請求項３記載の発明のファクシミリ装置によれば、入力画像データを副走査方向において分割する際、分割画像データの分割画像相互の境界領域に所定の重ね幅を持たせて分割するので、文字等の画情報が集まっている可能性が多い原稿中央付近のイメージデータを分割して読み取る際に、分割処理上の誤差等により僅かなイメージデータに関しても読み捨てられることを防止することができ、より一層画像品質の良好な画像を送信することができる。
【００２６】
請求項４記載の発明のファクシミリ装置によれば、入力画像データが複数ページで構成されている場合、予め設定された任意のページに対して分割データの取り込みを行うので、分割処理を行う必要のない小サイズの送付票等を先頭ページに挿入させて大サイズ原稿と一緒に送信する場合のように、大サイズと小サイズの混在する原稿に対して大サイズのみを分割して送信することができ、画像品質を向上させることができるとともに、利用性を向上させることができる。
【００２７】
請求項５記載の発明のファクシミリ装置によれば、ファクシミリ通信プロトコルで相手先から送られてくる識別情報に基づいて、副走査分割データの主走査方向が当該相手先に等倍送信できる原稿長以内であるか否か判断し、当該相手先に当該副走査分割データの等倍送信が不可能であると判断すると、当該副走査分割データの主走査方向において分割するとともに、当該分割画像相互の境界領域に所定の重ね幅を持たせて分割して取り込み、相手先に副走査分割データの等倍送信が可能であると判断すると、副走査分割データをそのまま取り込み、当該取り込んだ画像データを符号化して当該相手先に送信するので、より大きなサイズの原稿、例えば、最大Ａ０サイズの大サイズ原稿をも縮小処理を行うことなく、分割して画像送信することができ、受信側で分割印刷や縮小印刷等行うことなく、画像品質の良好な等倍画像を送信することができる。
【００２８】
請求項６記載の発明のファクシミリ装置によれば、分割された副走査分割データまたは副走査分割データ及び主走査分割データに、当該各分割データ相互の合成位置を示す所定の合成記号を付加しているので、分割されて送信される分割画像を受信側で復元する際に、合成記号に基づいて適切かつ容易に復元することができ、より一層利用性を向上させることができる。
【００２９】
請求項７記載の発明のファクシミリ装置によれば、画像データを分割して送信する際に、当該分割送信の履歴情報を取得して、通信管理レポートとして当該分割送信履歴情報を記録出力し、また、表示手段に分割送信履歴情報を表示出力するので、送信先毎の等倍／分割に関する履歴情報を一覧で分かるようにすることができ、相手先受信の能力に関する情報についても、容易に把握しやすくして、より一層利用性を向上させることができる。
【００３０】
請求項８記載の発明のファクシミリ送信制御方法によれば、原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するに際して、ファクシミリ通信プロトコルで相手先から送られてくる識別情報に基づいて、当該入力される画像データの主走査方向のラインデータが当該相手先に等倍送信できる原稿幅以内であるか否かを判断し、当該相手先に当該入力画像データの等倍送信が不可能であると判断すると、データ毎に当該ファクシミリ通信プロトコルで当該相手先に送信可能な原稿幅に入力画像データを副走査方向において分割して副走査分割データとして取り込み、当該取り込んだ副走査分割データを９０度または２７０度回転させた後に符号化して当該相手先に送信し、相手先に入力画像データの等倍送信が可能であると判断すると、入力画像データをそのまま取り込み、当該取り込んだ画像データを符号化して当該相手先に送信するので、受信側の受信能力に応じて大サイズ原稿の副走査方向の長さに対して、分割処理を行って送信することができ、受信側で分割印刷や縮小印刷等行うことなく、画像品質の良好な等倍画像を送信することができる。
【発明を実施するための最良の形態】
【００３１】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３２】
図１〜図９は、本発明のファクシミリ装置及びファクシミリ送信制御方法の一実施例を示す図であり、図１は、本発明のファクシミリ装置及びファクシミリ送信制御方法の一実施例を適用したファクシミリ装置１のブロック構成図である。
【００３３】
図１において、ファクシミリ装置１は、スキャナ２、プロッタ３、符号化・復号化部４、画像蓄積部５、画像回転部６、システム制御部７、操作表示部８、分割・等倍制御部９、通信制御部１０、モデム１１及び網制御部１２等を備えており、上記各部は、バス１３により接続されている。
【００３４】
スキャナ（画像データ入力手段）２は、例えば、ＣＣＤ（Charge Coupled Device ）を利用したイメージスキャナ等が利用されており、一般に、ＡＤＦ（自動原稿送り装置）を備えている。ＡＤＦには、複数枚の原稿がセットされ、ＡＤＦは、セットされた原稿を１枚ずつスキャナ２の原稿読取位置に送給する。スキャナ２は、ＡＤＦから搬送されてきた原稿を走査し、原稿の画像を所定の解像度で画素に分割して、各画素を白黒の画像信号に変換する。特に、スキャナ２は、主走査方向の原稿幅が、ファクシミリ通信プロトコルで取得した相手（受信側）ファクシミリ装置の受信可能な最大サイズ幅（Ａ３サイズ幅）を越える大サイズ原稿を読み取る機能を備えているとともに、原稿を主走査方向及び副走査方向において複数の分割領域に分割して読み取る分割読取機能を備えており、かつ、当該分割読取機能において、当該分割領域の相互に隣接する境界部分を所定の重ね幅だけ重ね合わせて読み取る重ね合わせ読取機能を備えている。また、スキャナ２は、少なくともセットされた原稿の主走査方向の幅サイズを検出する主走査方向幅サイズ検知センサを搭載しており、検知結果をシステム制御部７に出力する。
【００３５】
プロッタ３は、例えば、電子写真式記録装置等が使用されており、受信した画像データやスキャナ２で読み取った原稿の画像を記録紙に記録出力する。
【００３６】
符号化・復号化部４は、画像データの画像蓄積部５への蓄積の効率化や伝送時間の短縮化を図るためのものであり、所定の符号化方式に従って画像データを符号化し、また、符号化された画情報を復号化する。
【００３７】
画像蓄積部５は、例えば、ハードディスクやＲＡＭ（Random Access Memory）等で構成され、スキャナ２で読み取られた画像に回転や縮小等の画像編集を施すために、一旦スキャナ２で読み取られた原稿の画像データや受信した画像データを保存する。
【００３８】
画像回転部６は、画像蓄積部５に保存されている画像データの主走査方向及び副走査方向の画データに対して全てデータの入れ換えを行って、９０度、２７０度等の画像の回転を行い、再度回転後の画像データを画像蓄積部５に保存させる。なお、ここでの回転角度は、９０度もしくは２７０度である。
【００３９】
システム制御部７は、ＣＰＵ（Central Processing Unit ）、ＲＯＭ（Read Only Memory）及びＲＡＭ（Random Access Memory）等を備え、ＲＯＭ内には、ファクシミリ装置１の基本処理プログラム及び後述する画像分割送信制御処理プログラム等の各種プログラムを格納しているとともに、これらの画像分割送信制御処理プログラム及び基本処理プログラム等の各種プログラムを実行するために必要な各種データやシステムデータ等が格納されている。システム制御部７は、ＲＯＭ内のプログラムに基づいて、ＲＡＭをワークメモリとして利用して、ファクシミリ装置１の各部を制御し、ファクシミリ装置１としての基本処理を実行するとともに、後述する画像分割送信制御処理を実行する。
【００４０】
操作表示部８は、テンキーやスタートキー及びファンクションキー等の各種操作キーを備えるとともに、ディスプレイ（例えば、液晶ディスプレイ）８ａを備え、操作キーからは、送信操作等の各種命令が入力され、ディスプレイ８ａ（図８及び図９参照）には、操作キーから入力された命令内容やファクシミリ装置１からオペレータに通知する各種情報が表示される。特に、操作表示部８は、送信原稿を分割して読み取って送信する分割送信機能のオン／オフを設定操作する分割送信オン／オフキーが設けられている。
【００４１】
分割・等倍制御部９は、スキャナ２で読み取られた画像データの主走査方向に対して、ファクシミリ通信プロトコル上で通信可能とされる最大幅のＡ３サイズ幅よりも大きいかどうかを判断して、原稿の幅サイズ（主走査方向の長さ）が当該通信可能最大幅（Ａ３サイズ幅）を越えていると、その読取ページが分割対象であるか判断して、分割して対象であるときには、当該原稿の画像を分割して読み取りを行い、当該読取ページが分割対象でないときには、当該原稿のページの画像を等倍で読み取る。また、分割・等倍制御部９は、ファクシミリ通信プロトコルで送信相手先から送られてくる識別情報、例えば、ＮＳＦ信号に基づいて相手先の受信能力からスキャナ２で読み取る原稿の主走査方向及び副走査方向が、それぞれ受信側の受信可能原稿幅及び受信可能原稿長以内であるか、また、分割した画像データを回転した画像データが受信側の受信可能原稿幅及び受信可能原稿長以内であるかに基づいて、等倍送信可能かどうか判断する。分割・等倍制御部９は、等倍送信可能であるときには、スキャナ２に原稿を通常通り読み取らせ、等倍送信不可能であるときには、スキャナ２に分割読取を行わせる。
【００４２】
通信制御部１０は、モデム１１に接続されており、モデム１１は、網制御部１２に接続されている。網制御部１２には、回線Ｌ、例えば、公衆電話回線が接続されており、網制御部１２は、通信制御部１０の制御下で動作して、回線Ｌとのインターフェースとしての処理、すなわち、回線Ｌからの発呼に対する自動着呼処理及び回線Ｌへの自動発呼処理を行う。
【００４３】
モデム１１は、プロトコル信号や画情報等の送信信号の変調及び網制御部１２を介して入力される受信信号の復調をファクシミリ通信規格に基づいて行ったり、ＤＴＭＦ（Dual Tone Multifrequency）の検出を行う。
【００４４】
通信制御部１０は、カデンス検出制御を行ったり、相手ファクシミリ装置との間でファクシミリ制御信号を交換して、ファクシミリ通信手順を実行する。
【００４５】
そして、ファクシミリ装置１は、ファクシミリフレーム構成としては、図２に示すように、その基本フレームがＩＳＯの規定するハイレベルデータリンク制御手順（ＨＤＬＣ）に準拠しており、まず、基本構成が、同期を取るためのプリアンブル及びプリアンブルに続くバイナリ情報からなっている。バイナリ情報は、フラグシーケンス（Ｆ）、アドレスフィールド（Ａ）、制御フィールド（Ｃ）、ファクシミリ制御フィールド（ＦＣＦ）、ファクシミリ制御フィールド（ＦＩＦ）、フレームチェックシーケンス（ＦＣＳ）、フラグシーケンス（Ｆ）から構成されている。そして、このファクシミリ情報フィールド（ＦＩＦ）は、ファクシミリ情報フィールド（ＦＣＦ）の後にファクシミリ手順をさらに明らかにするための付加的な８ビット単位の情報の送出であり、この情報は、図３に示すファクシミリ通信伝送フェーズで示すＤＩＳ、ＤＣＳ、ＤＴＣ、ＣＳＩ、ＣＩＧ、ＴＳＩ、ＮＳＣ、ＮＳＦ及びＮＳＳ信号の情報の規定からなっている。
【００４６】
そして、ファクシミリ通信の伝送フェーズは、図３に示すように、ファクシミリ通信の発呼から切断までの段階が、フェーズＡ〜フェーズＥに分類されている。特に、フェーズＢは、ファクシミリ端末相互の機能の識別、選択した機能の設定及び受信可能状態の確認等を実行する段階であり、唯一、ファクシミリ情報フィールドを持つフレームによって、伝送効率の向上、信頼性の向上等を決定する段階である。
【００４７】
そして、ファクシミリ装置１は、上記ＮＳＦ信号に基づいて受信側のファクシミリ装置の受信能力を判定する。
【００４８】
次に、本実施例の作用を説明する。本実施例のファクシミリ装置１は、スキャナ２で読み取った原稿の画像を図３に示したファクシミリ通信手順に従ってファクシミリ送信するが、このとき、読み取る原稿サイズが受信側のファクシミリ装置の最大受信幅を超えていると、スキャナ２で原稿を読み取る際に当該最大受信幅内で分割して、かつ、重ね合わせ読み取りを行って当該原稿の画像データを読み取り、当該読み取った画像データを９０度または２７０度回転させてファクシミリ送信する。
【００４９】
すなわち、ファクシミリ装置１は、図４に示すように、スキャナ２に原稿がセットされ、操作表示部８で送信先、読取条件等の必要な操作が行われて、処理開始を指示するスタートキーが押下されると、スキャナ２で原稿の画像を読取を開始する前に、スキャナ２上の読取対象の原稿の主走査方向の幅サイズを検出し、当該検出した原稿の主走査方向の幅（主走査幅）サイズが、ファクシミリ通信プロトコルで相手ファクシミリ装置から取得した当該ファクシミリ装置の受信可能な最大サイズ幅を越えているか、すなわち、相手先に等倍送信できる原稿幅であるかチェックする（ステップＳ１０１）。
【００５０】
ステップＳ１０１で、原稿の主走査幅サイズが相手ファクシミリ装置が受信可能な主走査方向の最大サイズ幅（以下、必要に応じて、最大受信幅という。）を越えていないときには、ファクシミリ装置１は、分割読取を行う必要がないと判断して、スキャナ２で当該原稿を等倍で読み取り、読み取った原稿の画像データに必要な画像処理及び符号化処理を施して、ファクシミリ送信して、処理を終了する（ステップＳ１０２）。
【００５１】
ステップＳ１０１で、原稿の主走査幅サイズが最大受信幅よりも大きいと、ファクシミリ装置１は、分割送信機能がオンであるかチェックし（ステップＳ１０３）、分割送信機能がオフであると、当該大サイズ原稿の画像を分割することなくスキャナ２で読み取って、当該読み取った原稿の１ページ分の画像を受信側ファクシミリ装置が受信可能なサイズに縮小処理した後、縮小した画像データを符号化して、ファクシミリ送信し、処理を終了する（ステップＳ１０４）。
【００５２】
ステップＳ１０３で、分割送信機能がオンであると、ファクシミリ装置１は、スキャナ２の読取副走査幅を原稿の読取副走査幅の１／２に設定し（ステップＳ１０５）、当該設定した読取副走査幅（副走査分割データ幅）が最大受信幅よりも小さいかチェックする（ステップＳ１０６）。
【００５３】
ステップＳ１０６で、読取副走査幅が最大受信幅よりも大きいと、スキャナ２の読取主走査幅を原稿の読取主走査幅の１／２に設定し（ステップＳ１０７）、当該設定した読取主走査幅（主走査分割データ幅）が最大受信幅よりも小さいかチェックする（ステップＳ１０８）。
【００５４】
ステップＳ１０８で、読取主走査幅が最大受信幅よりも大きいと、ファクシミリ装置１は、まだ、送信できる幅サイズに分割されていないと判断して、ステップＳ１０５に戻って、副走査方向から上記同様に読取幅の分割を行い（ステップＳ１０５〜ステップＳ１０８）、副走査方向と主走査方向の少なくとも一方で読取走査幅が最大受信幅以下になると、スキャナ２で、分割読取領域の境界部分に重ね幅分ずらして、原稿の分割読取を行う（ステップＳ１０９）。
【００５５】
すなわち、例えば、図５に示すように、Ａ１サイズの原稿の場合、副走査方向に２分割し、主走査方向に２分割して読取第１面、読取第２面、読取第３面、読取第４面の順で読み取りを行うが、このとき、図５に重ね幅として示す重ね幅部分を分割読取領域の境界部分に設けて、当該重ね幅だけ重ねた状態で各読取面の読取を行う。
【００５６】
そして、ファクシミリ装置１は、このように大サイズ原稿を分割して読み取りを行うと、各分割画像データに対して、図６に丸で囲んだ数字で示すように、分割画像データを合成する際の合成位置を示す分割番号（合成記号）を各分割画像データに付加する。
【００５７】
ファクシミリ装置１は、分割読取を行い分割番号を付加すると、回転対称の画像データであるかチェックし（ステップＳ１１０）、回転対称であるときには、当該画像データを９０度または２７０度回転させた後、必要な符号化処理等を行って、相手先にファクシミリ送信する（ステップＳ１１１）。
【００５８】
ステップＳ１１０で、分割した画像データが回転対称でないときには、ファクシミリ装置１は、当該分割画像を回転させることなく、必要な符号化処理等を行って、相手先にファクシミリ送信する（ステップＳ１１１）。
【００５９】
そして、ファクシミリ装置１は、ファクシミリ通信において当該ファクシミリ通信の通信管理情報、すなわち、送信ファイル、受信ファイルび待機ファイル等の各種通信ファイルの通信日時、通信相手先、通信モード、通信の成否等の通信結果を通信管理情報としてメモリ内に順次記憶し、必要に応じて、通信管理情報をファクシミリ装置１の操作表示部８のディスプレイ（表示手段）８ａに表示させたり、記録紙に通信管理レポートとして記録出力するが、上記分割通信においても、通信管理情報を取得して、ディスプレイ８ａに表示したり、通信管理レポートとして出力する。すなわち、ファクシミリ装置１は、当該ファクシミリ通信が分割送信であるか否かを通信管理情報の１つとして取得して、メモリに記憶し、分割送信については、図７に示すように、通信管理レポート２０を出力する際に、分割送信であることを明示する。図７の通信管理レポート２０では、送信の通信管理情報に、分割送信であることを示す「Ｂ」の記号が明示されている。また、ファクシミリ装置１は、通信管理情報を操作表示部８のディスプレイ８ａに表示させる際に、図８に示すように、分割送信であることを示す「Ｂ」の記号を明示する。
【００６０】
なお、本実施例のファクシミリ装置１は、大サイズ原稿を分割送信する際に、送付票を添付するか否かを操作表示部８のキー操作で設定することができる。
【００６１】
すなわち、通常、ファクシミリ文書を送信する際、送付票を貼付して送信することが行われるが、この送付票が大サイズ原稿とはそのサイズが異なるため、適切に送付票を送信するには、制御が異なるため、ファクシミリ装置１は、ユーザが操作表示部８のキー操作で送付票を添付するか否かの設定を行えるようにしている。
【００６２】
具体的には、ファクシミリ装置１は、図９に示すように、操作表示部８のディスプレイ８ａに送付票貼付の有無を選択する画面を表示し、操作表示部８のキー操作で、ＯＮ／ＯＦＦの下部に表示されている下線（アンダーバー）を、送付票の貼付の有無に応じて移動させて選択する。
【００６３】
すなわち、ファクシミリ装置１は、スキャナ２にセットされている原稿のうち、操作表示部８での指定のページについてのみ分割送信の対象とする分割対象ページ選択機能を備えており、送付票等のページを省いたページを分割対象ページとして操作表示部８で指定されると、当該指定に基づいて分割送信処理を行う。
【００６４】
なお、上記説明では、ファクシミリ装置１は、入力画像データを、スキャナ２で読み取って入力する場合について説明しているが、入力画像データは、ファクシミリ装置１がネットワークに接続されている場合に、当該ネットワークに接続されたスキャナやコンピュータ等から入力されてもよい。この場合、入力画像データを一旦、画像蓄積部５に蓄積して、当該画像蓄積部５の画像データの読出時に分割・等倍制御部９が分割して読み出すことで、画像の分割を行うようにすることで、対応することができる。
【００６５】
このように、本実施例のファクシミリ装置１は、原稿を主走査及び副走査して取得した画像データまたは／及び外部端末から送られてきた画像データを入力画像データとして入力し、相手先と所定のファクシミリ通信プロトコルを交換して、当該入力画像データを所定の符号化方式で符号化した後にファクシミリ送信するに際して、ファクシミリ通信プロトコルで相手先から送られてくる識別情報に基づいて、当該入力される画像データの主走査方向のラインデータが当該相手先に等倍送信できる原稿幅以内であるか否かを判断し、当該相手先に当該入力画像データの等倍送信が不可能であると判断すると、データ毎に当該ファクシミリ通信プロトコルで当該相手先に送信可能な原稿幅に入力画像データを副走査方向において分割して副走査分割データとして取り込み、当該取り込んだ副走査分割データを９０度または２７０度回転させた後に符号化して当該相手先に送信し、相手先に入力画像データの等倍送信が可能であると判断すると、入力画像データをそのまま取り込み、当該取り込んだ画像データを符号化して当該相手先に送信している。
【００６６】
したがって、受信側の受信能力に応じて大サイズ原稿の副走査方向の長さに対して、分割処理を行って送信することができ、受信側で分割印刷や縮小印刷等行うことなく、画像品質の良好な等倍画像を送信することができる。
【００６７】
また、本実施例のファクシミリ装置１は、相手先から送られてくる識別情報としてＮＳＦ信号を用いている。
【００６８】
したがって、独自モードによる交信の場合にのみ大サイズ原稿の等倍送信を行うことができ、従来機種や他メーカとの交信においては、通常の送受信を行って利用性を向上させることができる。
【００６９】
さらに、本実施例のファクシミリ装置１は、入力画像データを副走査方向において分割する際、分割画像データの分割画像相互の境界領域に所定の重ね幅を持たせて分割している。
【００７０】
したがって、文字等の画情報が集まっている可能性が多い原稿中央付近のイメージデータを分割して読み取る際に、分割処理上の誤差等により僅かなイメージデータに関しても読み捨てられることを防止することができ、より一層画像品質の良好な画像を送信することができる。
【００７１】
また、本実施例のファクシミリ装置１は、入力画像データが複数ページで構成されている場合、予め設定された任意のページに対して分割データの取り込みを行っている。
【００７２】
したがって、分割処理を行う必要のない小サイズの送付票等を先頭ページに挿入させて大サイズ原稿と一緒に送信する場合のように、大サイズと小サイズの混在する原稿に対して大サイズのみを分割して送信することができ、画像品質を向上させることができるとともに、利用性を向上させることができる。
【００７３】
さらに、本実施例のファクシミリ装置１は、ファクシミリ通信プロトコルで相手先から送られてくる識別情報に基づいて、副走査分割データの主走査方向が当該相手先に等倍送信できる原稿長以内であるか否か判断し、当該相手先に当該副走査分割データの等倍送信が不可能であると判断すると、当該副走査分割データの主走査方向において分割するとともに、当該分割画像相互の境界領域に所定の重ね幅を持たせて分割して取り込み、相手先に副走査分割データの等倍送信が可能であると判断すると、副走査分割データをそのまま取り込み、当該取り込んだ画像データを符号化して当該相手先に送信している。
【００７４】
したがって、より大きなサイズの原稿、例えば、最大Ａ０サイズの大サイズ原稿をも縮小処理を行うことなく、分割して画像送信することができ、受信側で分割印刷や縮小印刷等行うことなく、画像品質の良好な等倍画像を送信することができる。
【００７５】
また、本実施例のファクシミリ装置１は、分割された副走査分割データまたは副走査分割データ及び主走査分割データに、当該各分割データ相互の合成位置を示す所定の合成記号を付加している。
【００７６】
したがって、分割されて送信される分割画像を受信側で復元する際に、合成記号に基づいて適切かつ容易に復元することができ、より一層利用性を向上させることができる。
【００７７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００７８】
大サイズ原稿を適切に分割して送信するファクシミリ装置に適用することができる。
【図面の簡単な説明】
【００７９】
【図１】本発明のファクシミリ装置及びファクシミリ送信制御方法の一実施例を適用したファクシミリ装置のブロック構成図。
【図２】図１のファクシミリ通信のファクシミリフレーム構成を示す図。
【図３】ファクシミリ通信手順を示す図。
【図４】図１のファクシミリ装置による分割送信処理を示すフローチャート。
【図５】図４の分割送信処理での原稿の分割読取の説明図。
【図６】図５の分割読取で読み取られた各分割画像への分割番号の付加処理の説明図。
【図７】分割送信であることの情報をも付加した通信管理レポートの一例を示す図。
【図８】分割送信であることの情報をも付加した送信結果情報のディスプレイの表示画面の一例を示す図。
【図９】ディスプレイへの送付票貼付有無の選択画面の一例を示す図。
【符号の説明】
【００８０】
１  ファクシミリ装置
２  スキャナ
３  プロッタ
４  符号化・復号化部
５  画像蓄積部
６  画像回転部
７  システム制御部
８  操作表示部
８ａ  ディスプレイ
９  分割・等倍制御部
１０  通信制御部
１１  モデム
１２  網制御部
１３  バス
２０  通信管理レポート
【図１】
2006050116.tif 000003
【図２】
2006050116.tif 000004
【図３】
2006050116.tif 000005
【図４】
2006050116.tif 000006
【図５】
2006050116.tif 000007
【図６】
2006050116.tif 000008
【図７】
2006050116.tif 000009
【図８】
2006050116.tif 000010
【図９】
2006050116.tif 000011